(57)【要約】  既存のＬＴＥシステムと異なる方法を適用してＣＳＩ報告を行う場合であってもＣＳＩ報告を適切に制御すること。ユーザ端末は、セミパーシステントチャネル状態情報のアクティベーション又はディアクティベーションを指示する下り制御情報を受信する受信部と、前記下り制御情報のＣＲＣに適用されるＲＮＴＩに応じて前記下り制御情報に含まれる所定のビットフィールドの解釈を行って前記セミパーシステントチャネル状態情報の送信を制御する制御部と、を有する。
2019103141.tif 000002
【特許請求の範囲】
【請求項１】
セミパーシステントチャネル状態情報のアクティベーション又はディアクティベーションを指示する下り制御情報を受信する受信部と、
前記下り制御情報のＣＲＣに適用されるＲＮＴＩに応じて前記下り制御情報に含まれる所定のビットフィールドの解釈を行って前記セミパーシステントチャネル状態情報の送信を制御する制御部と、を有することを特徴とするユーザ端末。
【請求項２】
前記制御部は、前記下り制御情報のＣＲＣに所定のＲＮＴＩが適用される場合に前記下り制御情報に含まれる所定のビットフィールドに対する解釈を変更することを特徴とする請求項１に記載のユーザ端末。
【請求項３】
前記所定のビットフィールドは、リソース割当てフィールドが含まれることを特徴とする請求項１又は請求項２に記載のユーザ端末。
【請求項４】
セミパーシステントチャネル状態情報のアクティベーション又はディアクティベーションを指示する下り制御情報を受信する工程と、
前記下り制御情報のＣＲＣに適用されるＲＮＴＩに応じて前記下り制御情報に含まれる所定のビットフィールドの解釈を行って前記セミパーシステントチャネル状態情報の送信を制御する工程と、を有することを特徴とする無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８又は９ともいう）からの更なる広帯域化及び高速化を目的として、ＬＴＥ−Ａ（ＬＴＥアドバンスト、ＬＴＥ  Ｒｅｌ．１０、１１又は１２ともいう）が仕様化され、ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１３、１４又は１５以降などともいう）も検討されている。【０００３】
既存のＬＴＥシステム（例えば、ＬＴＥ  Ｒｅｌ．８−１３）においては、ＵＥからｅＮＢに対して、上りリンク信号が適切な無線リソースにマッピングされて送信される。上りユーザデータは、上りリンク共有チャネル（ＰＵＳＣＨ：Physical  Uplink  Shared  Channel）を用いて送信される。また、上りリンク制御情報（ＵＣＩ：Uplink  Control  Information）は、上りユーザデータと共に送信される場合はＰＵＳＣＨを用いて、単独で送信される場合は上りリンク制御チャネル（ＰＵＣＣＨ：Physical  Uplink  Control  Channel）を用いて送信される。【０００４】
ＵＣＩには、下りリンク共有チャネル（ＰＤＳＣＨ：Physical  Downlink  Shared  Channel）に対する送達確認情報（ＡＣＫ／ＮＡＣＫ）、スケジューリング要求、チャネル状態情報（ＣＳＩ：Channel  State  Information）などが含まれる。送達確認情報は、ＨＡＲＱ−ＡＣＫ（Hybrid  Automatic  Repeat  reQuest-Acknowledgement）、ＡＣＫ／ＮＡＣＫ（Ａ／Ｎ）、再送制御情報などと呼ばれてもよい。【０００５】
ＣＳＩは、下りリンクの瞬時のチャネル状態に基づく情報であり、例えば、チャネル品質指示子（ＣＱＩ：Channel  Quality  Indicator）、プリコーディング行列指示子（ＰＭＩ：Precoding  Matrix  Indicator）、プリコーディングタイプ指示子（ＰＴＩ：Precoding  Type  Indicator）、ランク指示子（ＲＩ：Rank  Indicator）などである。ＣＳＩは、周期的又は非周期的に、ＵＥからｅＮＢに通知される。【０００６】
周期的ＣＳＩ（Ｐ−ＣＳＩ：Periodic  CSI）は、無線基地局から通知された周期やリソースに基づいて、ＵＥが周期的にＣＳＩを送信する。一方で、非周期的ＣＳＩ（Ａ−ＣＳＩ：Aperiodic  CSI）は、無線基地局からのＣＳＩ報告要求（トリガ、ＣＳＩトリガ、ＣＳＩリクエストなどともいう）に応じて、ＵＥがＣＳＩを送信する。【０００７】
ＣＳＩトリガは、下りリンク制御チャネル（ＰＤＣＣＨ：Physical  Downlink  Control  Channel）で送信される上りリンクスケジューリンググラント（以下、ＵＬ（Uplink）グラントともいう）に含まれる。ＵＥは、上りデータをスケジューリングするＵＬグラントに含まれるＣＳＩトリガに従って、当該ＵＬグラントで指定されたＰＵＳＣＨを用いて、Ａ−ＣＳＩを通知する。このような通知は、Ａ−ＣＳＩ報告（reporting）とも呼ばれる。
【先行技術文献】
【非特許文献】
【０００８】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００９】
将来の無線通信システム（例えば、ＬＴＥ  Ｒｅｌ．１４、１５以降、５Ｇ、ＮＲなど）では、既存のＬＴＥシステム（例えば、ＬＴＥ  Ｒｅｌ．１３以前）とは異なる構成でＣＳＩ報告を制御することも検討されている。【００１０】
例えば、非周期的ＣＳＩ報告を上り共有チャネルだけでなく上り制御チャネルも利用して行うことが検討されている。この場合、非周期的ＣＳＩを割当てる上り制御チャネルの割当てをどのように制御するかが問題となる。【００１１】
例えば、既存システムのＣＳＩ報告と同様の制御を適用することが考えられる。しかし、既存システムでは、上りデータをスケジューリングするＵＬグラントで指定されたＰＵＳＣＨを利用してＡ−ＣＳＩ報告のトリガを制御しており、ＵＬグラントで上り制御チャネルのリソースを指定することは想定されていない。このように、既存のＬＴＥシステムと異なる方法を適用してＣＳＩ報告を行う場合、既存のＬＴＥシステムのＣＳＩ報告の制御方法をそのまま適用することは困難となる。【００１２】
本発明はかかる点に鑑みてなされたものであり、既存のＬＴＥシステムと異なる方法を適用してＣＳＩ報告を行う場合であってもＣＳＩ報告を適切に制御することができるユーザ端末及び無線通信方法を提供することを目的の１つとする。
【課題を解決するための手段】
【００１３】
本発明の一態様に係るユーザ端末は、セミパーシステントチャネル状態情報のアクティベーション又はディアクティベーションを指示する下り制御情報を受信する受信部と、前記下り制御情報のＣＲＣに適用されるＲＮＴＩに応じて前記下り制御情報に含まれる所定のビットフィールドの解釈を行って前記セミパーシステントチャネル状態情報の送信を制御する制御部と、を有することを特徴とする。
【発明の効果】
【００１４】
本発明によれば、既存のＬＴＥシステムと異なる方法を適用してＣＳＩ報告を行う場合であってもＣＳＩ報告を適切に制御することができる。
【図面の簡単な説明】
【００１５】
【図１】既存システムのＡ−ＣＳＩの送信の一例を示す図である。
【図２】ＰＵＣＣＨを利用したＡ−ＣＳＩの一例を示す図である。
【図３】図３Ａ及び図３Ｂは、Ａ−ＣＳＩをトリガするＤＣＩの一例を示す図である。
【図４】Ａ−ＣＳＩをトリガするＤＣＩの他の例を示す図である。
【図５】本発明の一実施形態に係る無線通信システムの概略構成の一例を示す図である。
【図６】本発明の一実施形態に係る無線基地局の全体構成の一例を示す図である。
【図７】本発明の一実施形態に係る無線基地局の機能構成の一例を示す図である。
【図８】本発明の一実施形態に係るユーザ端末の全体構成の一例を示す図である。
【図９】本発明の一実施形態に係るユーザ端末の機能構成の一例を示す図である。
【図１０】本発明の一実施形態に係る無線基地局及びユーザ端末のハードウェア構成の一例を示す図である。
【発明を実施するための形態】
【００１６】
既存のＬＴＥシステム（Ｒｅｌ．１０−１３）では、下りリンクにおいてチャネル状態を測定する参照信号が規定されている。チャネル状態測定用の参照信号は、ＣＲＳ（Cell-specific  Reference  Signal）やＣＳＩ−ＲＳ（Channel  State  Information-Reference  Signal）とも呼ばれ、チャネル状態としてのＣＱＩ（Channel  Quality  Indicator）、ＰＭＩ（Precoding  Matrix  Indicator）、ＲＩ（Rank  Indicator）等のＣＳＩの測定に用いられる参照信号である。
【００１７】
ユーザ端末（ＵＥ）は、当該チャネル状態測定用の参照信号に基づいて測定した結果をチャネル状態情報（ＣＳＩ）として無線基地局に所定タイミングでフィードバックする。ＣＳＩのフィードバック方法として、周期的なＣＳＩ報告（Ｐ−ＣＳＩ）と非周期的なＣＳＩ報告（Ａ−ＣＳＩ）が規定されている。
【００１８】
ＵＥは、非周期的ＣＳＩ報告を行う場合、無線基地局からのＣＳＩトリガ（ＣＳＩ要求）に応じてＡ−ＣＳＩの送信を行う。例えば、ＵＥは、ＣＳＩトリガを受信してから所定タイミング（例えば、４サブフレーム）後にＡ−ＣＳＩ報告を行う。
【００１９】
無線基地局から通知されるＣＳＩトリガは、下り制御チャネルで送信される上りリンクスケジューリンググラント（ＵＬグラント）用の下り制御情報（例えば、ＤＣＩフォーマット０／４）に含まれている。ＵＥは、ＵＬデータをスケジューリングするＵＬグラント用の下り制御情報に含まれるトリガに従って、ＵＬグラントで指定されたＰＵＳＣＨを用いてＡ−ＣＳＩ送信を行う（図１参照）。また、ＣＡを適用する場合、ユーザ端末は、あるセルに対するＵＬグラント（Ａ−ＣＳＩトリガ含む）を他のセルの下り制御チャネルで受信することができる。
【００２０】
ところで、将来の無線通信システム（５Ｇ／ＮＲとも呼ぶ）では、既存のＬＴＥシステムと異なる構成でＣＳＩ報告を行うことが検討されている。例えば、Ａ−ＣＳＩ報告をＰＵＳＣＨだけでなくＰＵＣＣＨも利用して行うことが検討されている（図２参照）。図２では、基地局からの指示（ＣＳＩトリガ）に基づいてショートＰＵＣＣＨ及び／又はロングＰＵＣＣＨを利用してＡ−ＣＳＩを送信する場合を示している。
【００２１】
ショートＰＵＣＣＨは、既存のＬＴＥシステム（例えば、ＬＴＥ  Ｒｅｌ．８−１３）のＰＵＣＣＨフォーマットよりも短い期間（short  duration）を利用可能なＵＬ制御チャネルに相当する。また、ロングＰＵＣＣＨは、当該ショートＰＵＣＣＨの短い期間よりも長い期間（long  duration）のＵＬ制御チャネルに相当する。ショートＰＵＣＣＨは、あるサブキャリア間隔（ＳＣＳ：Sub-Carrier  Spacing）における所定数のシンボル（例えば、１、２又は３シンボル）を有する。ショートＰＵＣＣＨでは、上り制御情報と参照信号とが時分割多重（ＴＤＭ：Time  Division  Multiplexing）されてもよいし、周波数分割多重（ＦＤＭ：Frequency  Division  Multiplexing）されてもよい。ＲＳは、例えば、ＵＣＩの復調に用いられる復調用参照信号（ＤＭＲＳ：DeModulation  Reference  Signal）であってもよい。ショートＰＵＣＣＨは、各スロットにおいて少なくとも１シンボルに設定されてもよい。
【００２２】
一方、ロングＰＵＣＣＨは、ショートＰＵＣＣＨよりもカバレッジを向上させる及び／又はより多くのＵＣＩを伝送するために、スロット内の複数のシンボルに渡って配置される。例えば、ロングＰＵＣＣＨは、７シンボル又は１４シンボルを用いて構成されてもよい。ロングＰＵＣＣＨでは、ＵＣＩとＲＳ（例えば、ＤＭＲＳ）とがＴＤＭされてもよいし、ＦＤＭされてもよい。ロングＰＵＣＣＨには、スロット内の所定期間（例えば、ミニ（サブ）スロット）ごとに周波数ホッピングが適用されてもよい。スロット内周波数ホッピングが適用される場合には、１ホップごとに１又は２シンボルのＤＭＲＳがマッピングされることが好ましい。
【００２３】
ロングＰＵＣＣＨは、ショートＰＵＣＣＨと等しい数の周波数リソースで構成されてもよいし、電力増幅効果を得るため、ショートＰＵＣＣＨよりも少ない数の周波数リソース（例えば、１又は２つの物理リソースブロック（ＰＲＢ：Physical  Resource  Block））で構成されてもよい。また、ロングＰＵＣＣＨは、ショートＰＵＣＣＨと同一のスロット内に配置されてもよい。
【００２４】
なお、複数のＰＵＣＣＨフォーマットがサポートされる場合、ショートＰＵＣＣＨが所定のＰＵＣＣＨフォーマット（例えば、ＰＵＣＣＨフォーマット０、２）に相当し、ロングＰＵＣＣＨが他のＰＵＣＣＨフォーマット（例えば、ＰＵＣＣＨフォーマット１、３、４）に相当する構成としてもよい。
【００２５】
このように、ＰＵＣＣＨを利用したＡ−ＣＳＩを許容（サポート）することにより、ＣＳＩ報告をより柔軟に制御すると共にＡ−ＣＳＩの送受信品質を向上することが可能となる。一方で、既存システムでは、上りデータをスケジューリングするＵＬグラントで指定されたＰＵＳＣＨを利用してＡ−ＣＳＩ報告を制御しており、ＵＬグラントでＰＵＣＣＨリソースを指定することは想定されていない。
【００２６】
そのため、ＰＵＳＣＨを利用したＡ−ＣＳＩ報告に加えてＰＵＣＣＨを利用したＡ−ＣＳＩ報告もサポートする場合、ＵＥがＡ−ＣＳＩの送信を行うＵＬチャネルをどのように制御するかが問題となる。
【００２７】
本発明者等は、チャネル状態情報の送信指示を下り制御情報を利用して行う点に着目し、チャネル状態情報の送信に利用する上りチャネルを当該下り制御情報に基づいて決定する構成とすることを着想した。
【００２８】
以下、本発明に係る実施形態について、図面を参照して詳細に説明する。各実施の態様で示す構成は、それぞれ単独で適用されてもよいし、組み合わせて適用されてもよい。また、以下の説明では、非周期的ＣＳＩ（Ａ−ＣＳＩ）トリガを想定して説明するが、本実施の形態はこれに限られない。例えば、ＣＳＩ（例えば、セミパーシステントＣＳＩ）のアクティベーション及び／又はディアクティベーションの通知についても適用できる。この場合、「ＣＳＩのトリガ」を「ＣＳＩ（例えば、ＳＰ−ＣＳＩ）のアクティベーション及び／又はディアクティベーションの通知」と置き換えればよい。
【００２９】
なお、ＳＰ−ＣＳＩは、ＣＳＩ報告がセミパーシステントに行われる場合（ＳＰ−ＣＳＩ：Semi-persistent  CSI）を指す。ＳＰ−ＣＳＩ報告では、周波数粒度としてワイドバンド、部分バンド、及びサブバンド（subband）の少なくとも一つを利用し、物理チャネルとしてロングＰＵＣＣＨ及び／又はＰＵＳＣＨを利用し、コードブックとしてタイプ１−ＣＳＩ及び／又は部分タイプ２  ＣＳＩを利用する。ＣＳＩ報告をセミパーシステントに行う場合、下り制御情報及び／又はマック制御情報（ＭＡＣ  ＣＥ）を利用してＵＥに設定（例えば、アクティベーション及び／又はディアクティベーション）できる。
【００３０】
（第１の態様）
第１の態様では、チャネル状態情報（ＣＳＩ）の送信に利用するＵＬチャネルの決定を下り制御情報（ＤＣＩ）に基づいて制御する場合を示す。ＤＣＩは、当該ＣＳＩをトリガするＤＣＩとしてもよい。また、以下の説明では、ＵＬチャネルとして上り共有チャネル（ＰＵＳＣＨ）とショートＰＵＣＣＨ（ｓＰＵＣＣＨ）を利用する場合を想定するが、適用可能なＵＬチャネルはこれに限られない。ＣＳＩの送信にショートＰＵＳＣＨを利用してもよいし、上り制御チャネル（ＰＵＣＣＨ）を利用してもよい。
【００３１】
ＵＥは、基地局からＣＳＩトリガが指示された場合、所定ＤＣＩに基づいてＣＳＩの送信に利用するＵＬチャネルを判断する。所定ＤＣＩは、ＣＳＩトリガを指示するＤＣＩとしてもよいし、他のＤＣＩとしてもよい。また、所定ＤＣＩは、ＵＬ送信（ＵＬデータスケジューリング）を指示するＵＬグラント、ＤＬ送信（ＤＬデータスケジューリング）を指示するＤＬアサイメント、及びデータをスケジューリングせずにＣＳＩトリガを指示するＤＣＩ（ＣＳＩトリガ用ＤＣＩとも呼ぶ）の少なくとも一つを利用できる。
【００３２】
例えば、ＵＥは、所定ＤＣＩに含まれるビットフィールド、所定ＤＣＩに適用されるＲＮＴＩ、及び所定ＤＣＩのサイズに基づいて、ＣＳＩ送信をＰＵＳＣＨとｓＰＵＣＣＨのいずれで行うかを判断する。以下に、ビットフィールド、ＲＮＴＩ、ＤＣＩサイズを利用する場合についてそれぞれ説明する。
【００３３】
＜ビットフィールド＞
ＵＥは、ＣＳＩトリガが指示された場合、所定ＤＣＩに含まれる特定ビットフィールドの値に基づいてＣＳＩを割当てる上りチャネルを判断する。特定ビットフィールドは、１ビット又は複数ビットで構成される。
【００３４】
図３は、ＣＳＩトリガを指示するＤＣＩに上りチャネルを指定するフィールド（ここでは、１ビットフィールド）を設ける場合のＤＣＩの一例を示している。図３Ａは、データをスケジューリングするＤＣＩ（例えば、ＵＬグラント）にＵＬチャネル識別用フィールドを設けた場合を示している。図３Ｂは、ＣＳＩトリガ用ＤＣＩにＵＬチャネル識別用フィールドを設けた場合を示している。
【００３５】
データスケジューリング用ＤＣＩ（ＵＬグラント又はＤＬアサイメント）はＣＳＩトリガフィールドを含む構成としてもよい。一方で、ＣＳＩトリガ用ＤＣＩがサポートされる場合、当該ＣＳＩトリガ用ＤＣＩはＣＳＩトリガフィールドを含まない構成としてもよい（図３Ｂ参照）。
【００３６】
例えば、ＵＥは、ＣＳＩトリガを指示するＤＣＩにおいてＵＬチャネル識別用フィールドの値が“０”の場合、ＰＵＳＣＨを利用してＣＳＩ報告（ＣＳＩ送信）を行う。一方で、ＵＥは、ＣＳＩトリガを指示するＤＣＩにおいてＵＬチャネル識別用フィールドの値が“１”の場合、ｓＰＵＣＣＨを利用してＣＳＩ報告（ＣＳＩ送信）を行う。
【００３７】
また、基地局からＵＥに対して、ＣＳＩ報告に利用するＵＬチャネル及び送信条件（送信パラメータ）の組み合わせ候補セットをあらかじめ設定（又は通知）し、ＤＣＩを利用して特定の候補セットを決定する構成としてもよい。候補セットに関する情報は、基地局からＵＥに上位レイヤシグナリング（例えば、ＲＲＣシグナリング等）であらかじめ設定しておけばよい。また、特定の候補セットを通知するビット情報はＤＣＩの所定ビットフィールド（例えば、ＵＬチャネル識別用フィールド等）に設定すればよい。
【００３８】
また、ＵＥは、ＵＬチャネル識別用フィールドのビット情報に基づいて、ＤＣＩに含まれる他のビットフィールドの解釈を制御してもよい。他のビットフィールドは、リソース割当てフィールド（ＲＡフィールド）及び／又は電力制御フィールド（ＴＰＣフィールド）としてもよい。
【００３９】
例えば、ＵＬチャネル識別用フィールドがＰＵＳＣＨを示す場合（“０”の場合）、ＵＥは、ＤＣＩ（例えば、ＵＬグラント）に含まれるリソース割当てを指示するＲＡフィールドに基づいて、ＰＵＳＣＨ及び／又はＣＳＩの割当てを制御する。つまり、ＵＥは、ＤＣＩでＰＵＳＣＨを利用したＣＳＩトリガが指示された場合、当該ＤＣＩに含まれるリソース割当てフィールドがＰＵＳＣＨ送信用であると判断してＣＳＩの割当てを制御する。
【００４０】
ＵＬチャネル識別用フィールドがＰＵＣＣＨを示す場合（“１”の場合）、ＵＥは、ＤＣＩ（例えば、ＵＬグラント）に含まれるリソース割当てを指示するＲＡフィールドに基づいて、ｓＰＵＣＣＨ及び／又はＣＳＩの割当てを制御する。つまり、ＵＥは、ＤＣＩでＰＵＣＣＨを利用したＣＳＩトリガが指示された場合、当該ＤＣＩに含まれるリソース割当てフィールドがＰＵＣＣＨ送信用であると判断してＣＳＩの割当てを制御する。
【００４１】
あるいは、ＵＬチャネル識別用フィールドがＰＵＳＣＨを示す場合（“０”の場合）、ＵＥは、電力制御コマンド（ＴＰＣ）フィールドで通知される情報をＰＵＳＣＨ送信に適用する。つまり、ＵＥは、ＤＣＩでＰＵＳＣＨを利用したＣＳＩトリガが指示された場合、当該ＤＣＩに含まれるＴＰＣフィールドがＰＵＳＣＨ送信用であると判断してＣＳＩを送信するＰＵＳＣＨの送信電力を制御する。
【００４２】
ＵＬチャネル識別用フィールドがＰＵＣＣＨを示す場合（“１”の場合）、ＵＥは、電力制御コマンド（ＴＰＣ）フィールドで通知される情報をＰＵＣＣＨ送信に適用する。つまり、ＵＥは、ＤＣＩでＰＵＣＣＨを利用したＣＳＩトリガが指示された場合、当該ＤＣＩに含まれるＴＰＣフィールドがＰＵＣＣＨ送信用であると判断してＣＳＩを送信するＰＵＣＣＨの送信電力を制御する。
【００４３】
また、ＵＥは、ＴＰＣコマンドの蓄積（TPC  command  accumulation）を適用する場合、ＵＬチャネル識別用フィールドのビット情報に基づいて、ＴＰＣコマンドの蓄積を制御してもよい。例えば、ＵＬチャネル識別用フィールドがＰＵＳＣＨを示す場合（“０”の場合）、ＵＥは、ＰＵＳＣＨ用のＴＰＣとしてＴＰＣコマンドの蓄積を行う。一方で、ＵＬチャネル識別用フィールドがＰＵＣＣＨを示す場合（“１”の場合）、ＵＥは、ＰＵＣＣＨ用のＴＰＣとしてＴＰＣコマンドの蓄積を行う。
【００４４】
これにより、非周期に送信されるＣＳＩ送信も考慮して各上りチャネルの送信電力を柔軟に制御することができる。例えば、ＰＵＣＣＨを利用したＣＳＩ送信を行った後に、ＰＵＣＣＨ送信を行う場合において、ＣＳＩ送信時のＴＰＣコマンドも蓄積することによりＣＳＩ送信後のＰＵＣＣＨ送信の送信電力を通信環境に基づいて決定することができる。
【００４５】
このように、所定ＤＣＩに含まれるビットフィールドを利用してＣＳＩ報告に利用する上りチャネルを基地局からＵＥに通知することにより、ＣＳＩトリガ毎にＣＳＩ送信に利用する上りチャネルを柔軟に変更して制御することができる。
【００４６】
なお、ＰＵＳＣＨを利用したＣＳＩ報告をトリガするＤＣＩのＤＣＩフォーマットサイズ（ペイロードサイズ）は、ＰＵＣＣＨを利用したＣＳＩ報告をトリガするＤＣＩのＤＣＩフォーマットサイズと同じとしてもよい。これにより、各ＤＣＩに同じ誤り訂正符号（例えば、ポーラー符号）を適用することができる。その結果、送受信処理の処理を簡略化し処理負荷の増加を抑制できる。
【００４７】
また、ＰＵＳＣＨを利用したＣＳＩ報告をトリガするＤＣＩのＣＲＣマスクに利用するＲＮＴＩと、ＰＵＣＣＨを利用したＣＳＩ報告をトリガするＤＣＩのＣＲＣのマスクに利用するＲＮＴＩを同じとしてもよい。これにより、各ＤＣＩに対して同じＲＮＴＩを適用できるため、送受信処理の負荷の増加を抑制できる。
【００４８】
また、ＰＵＳＣＨを利用したＣＳＩ報告をトリガするＤＣＩのサーチスペースと、ＰＵＣＣＨを利用したＣＳＩ報告をトリガするＤＣＩのサーチスペースの一方が他方を含む構成としてもよい。例えば、ＰＵＳＣＨを利用したＣＳＩ報告をトリガするＤＣＩのサーチスペースが、ＰＵＣＣＨを利用したＣＳＩ報告をトリガするＤＣＩのサーチスペースと同じとなるように設定してもよい。また、ＰＵＳＣＨを利用したＣＳＩ報告をトリガするＤＣＩのサーチスペースが、ＰＵＣＣＨを利用したＣＳＩ報告をトリガするＤＣＩのサーチスペースの下位集合（サブセット（ｓｕｂｓｅｔ））、又は上位集合（スーパーセット（ｓｕｐｅｒｓｅｔ））となるように設定してもよい。
【００４９】
このように、ＰＵＳＣＨを利用したＣＳＩ報告をトリガするＤＣＩのサーチスペースと、ＰＵＣＣＨを利用したＣＳＩ報告をトリガするＤＣＩのサーチスペースの一方が他方を含む構成とすることにより、各ＤＣＩに対応する下り制御チャネル候補（ＰＤＣＣＨ候補）を共有して設定できる。これにより、ＵＥが各ＤＣＩを受信する際にモニタ（検出）する範囲が増加することを抑制できる。
【００５０】
＜ＲＮＴＩ＞
ＵＥは、ＣＳＩトリガが指示された場合、所定ＤＣＩに適用されるＲＮＴＩに基づいてＣＳＩを割当てる上りチャネルを判断してもよい。例えば、ＰＵＳＣＨを利用したＣＳＩトリガを指示するＤＣＩと、ＰＵＣＣＨを利用したＣＳＩトリガを指示するＤＣＩに異なるＲＮＴＩを適用する。
【００５１】
この場合、基地局は、ＰＵＳＣＨを利用したＣＳＩトリガを指示するＤＣＩのＣＲＣを第１のＲＮＴＩ（例えば、固有ＲＮＴＩ）を利用してマスキングを行い、ＰＵＣＣＨを利用したＣＳＩトリガを指示するＤＣＩのＣＲＣを第２のＲＮＴＩを利用してマスキングを行う。第１のＲＮＴＩ及び／又は第２のＲＮＴＩに関する情報は、上位レイヤシグナリング（例えば、ＲＲＣシグナリング等）により基地局からＵＥに設定してもよい。
【００５２】
例えば、ＵＥは、受信したＤＣＩのＣＲＣが第１のＲＮＴＩでマスキングされている場合、ＰＵＳＣＨを利用してＣＳＩ報告（ＣＳＩ送信）を行う。一方で、ＵＥは、受信したＤＣＩのＣＲＣが第２のＲＮＴＩでマスキングされている場合、ｓＰＵＣＣＨを利用してＣＳＩ報告（ＣＳＩ送信）を行う。
【００５３】
また、ＵＥは、ＤＣＩに適用されている（ＤＣＩのＣＲＣがマスキングされている）ＲＮＴＩの種別に基づいて、ＤＣＩに含まれる他のビットフィールドの解釈を制御してもよい。他のビットフィールドは、リソース割当てフィールド（ＲＡフィールド）及び／又は電力制御フィールド（ＴＰＣフィールド）としてもよい。
【００５４】
他のビットフィールドの解釈方法は、上記ビットフィールドに基づいて上りチャネルを決定する場合と同様に行うことができる。例えば、上記説明において、ＵＬチャネル識別用フィールドがＰＵＳＣＨを示す場合（“０”の場合）が、ＤＣＩのＣＲＣが第１のＲＮＴＩでマスキングされている場合に相当し、ＵＬチャネル識別用フィールドがＰＵＣＣＨを示す場合（“１”の場合）が、ＤＣＩのＣＲＣが第２のＲＮＴＩでマスキングされている場合に相当する。
【００５５】
このように、ＣＳＩトリガを指示するＤＣＩに適用するＲＮＴＩを利用してＣＳＩ報告に利用する上りチャネルを決定することにより、ＣＳＩトリガ毎にＣＳＩ送信に利用する上りチャネルを柔軟に変更して制御することができる。また、ＤＣＩに利用するＲＮＴＩを利用することにより、ＤＣＩのサイズを増やさず（ビットフィールドを設けず）にＣＳＩ送信に利用する上りチャネルを通知することができる。
【００５６】
ＣＳＩ送信に利用する上りチャネル毎に異なるＲＮＴＩを適用する場合、ＰＵＳＣＨを利用したＣＳＩ報告をトリガするＤＣＩのサーチスペースと、ＰＵＣＣＨを利用したＣＳＩ報告をトリガするＤＣＩのサーチスペースを異なる構成（例えば、重複しない構成）としてもよい。この場合、両者が互いに割り当て可能なリソースを奪い合い、いずれかが割り当てできなくなるブロッキングの確率を抑圧することができる。
【００５７】
あるいは、ＰＵＳＣＨを利用したＣＳＩ報告をトリガするＤＣＩとＰＵＣＣＨを利用したＣＳＩ報告をトリガするＤＣＩに異なるＲＮＴＩを適用する場合、各ＤＣＩのサーチスペースを同じ構成（又は、一方が他方を含む構成）としてもよい。この場合、１度のブラインド検出で行うチャネル推定や誤り訂正復号の結果を複数のＤＣＩに対するブラインド検出に利用できるため、端末処理負担を軽減することができる。
【００５８】
＜ＤＣＩサイズ＞
ＵＥは、ＣＳＩトリガが指示された場合、所定ＤＣＩのサイズに基づいてＣＳＩを割当てる上りチャネルを判断してもよい。例えば、ＰＵＳＣＨを利用したＣＳＩ報告を指示するＤＣＩと、ＰＵＣＣＨを利用したＣＳＩ報告を指示するＤＣＩが異なるサイズ（ペイロードサイズ）となるように設定する（図４参照）。
【００５９】
ＵＥは、受信したＤＣＩのサイズに基づいて、ＣＳＩ報告を行う上りチャネルがＰＵＳＣＨであるかＰＵＣＣＨであるかを判断する。
【００６０】
例えば、図４では、ＰＵＳＣＨを利用したＣＳＩ報告を指示するＤＣＩのサイズを“Ｘ”とし、ＰＵＣＣＨを利用したＣＳＩ報告を指示するＤＣＩのサイズを“Ｙ”（Ｘ＞Ｙ）とする場合を示している。ここでは、ＰＵＳＣＨを利用したＣＳＩ報告を指示するＤＣＩのサイズを、ＰＵＣＣＨを利用したＣＳＩ報告を指示するＤＣＩのサイズより大きくする場合を示しているがこれに限られない（Ｘ＜Ｙとしてもよい）。
【００６１】
また、各ＤＣＩに含めるビットフィールのビット数に応じてＤＣＩペイロードサイズが決定されるが、ＰＵＳＣＨを利用したＣＳＩ報告を指示するＤＣＩのサイズとＰＵＣＣＨを利用したＣＳＩ報告を指示するＤＣＩのサイズが同じとなる場合も想定される。この場合、いずれか一方のＤＣＩに所定ビットを付加してペイロードサイズが異なるように設定してもよい。所定ビットとしては、空の情報に相当する１ビットのパディングビットであってもよい。
【００６２】
また、ＤＣＩ全体のサイズではなく、ＤＣＩの所定フィールドのサイズを変更する構成としてもよい。例えば、ＰＵＳＣＨを利用したＣＳＩ報告を指示するＤＣＩに含まれる所定フィールド（例えば、ＲＡフィールド）のビットサイズを、ＰＵＣＣＨを利用したＣＳＩ報告を指示するＤＣＩに含まれる所定フィールド（例えば、ＲＡフィールド）のビットサイズより大きく設定してもよい。この場合、ＤＣＩ全体のサイズも異なっていてもよい。
【００６３】
また、ＵＥは、ＤＣＩのサイズ（又は、所定フィールドのサイズ）に基づいて、ＤＣＩに含まれる他のビットフィールドの解釈を制御してもよい。他のビットフィールドは、リソース割当てフィールド（ＲＡフィールド）及び／又は電力制御フィールド（ＴＰＣフィールド）としてもよい。
【００６４】
他のビットフィールドの解釈方法は、上記ビットフィールドに基づいて上りチャネルを決定する場合と同様に行うことができる。例えば、上記説明において、ＵＬチャネル識別用フィールドがＰＵＳＣＨを示す場合（“０”の場合）が、ＤＣＩのサイズがＸである場合に相当し、ＵＬチャネル識別用フィールドがＰＵＣＣＨを示す場合（“１”の場合）が、ＤＣＩのサイズがＹである場合に相当する。
【００６５】
また、ＰＵＳＣＨを利用したＣＳＩ報告を指示するＤＣＩのサイズとＰＵＣＣＨを利用したＣＳＩ報告を指示するＤＣＩのサイズを異なる構成とする場合、各ＤＣＩに対して異なる誤り訂正符号（例えば、ポーラー符号）を適用すればよい。
【００６６】
また、ＰＵＳＣＨを利用したＣＳＩ報告を指示するＤＣＩのＣＲＣマスクに利用するＲＮＴＩと、ＰＵＣＣＨを利用したＣＳＩ報告を指示するＤＣＩのＣＲＣのマスクに利用するＲＮＴＩを同じとしてもよい。これにより、各ＤＣＩに対して同じＲＮＴＩを適用できるため、送受信処理の負荷の増加を抑制できる。
【００６７】
また、ＰＵＳＣＨを利用したＣＳＩ報告を指示するＤＣＩのサーチスペースと、ＰＵＣＣＨを利用したＣＳＩ報告を指示するＤＣＩのサーチスペースの一方が他方を含む構成としてもよい。例えば、各ＤＣＩのサーチスペースが、データスケジューリング用ＤＣＩのサーチスペースと同じとなるように設定してもよい。また、一方のＤＣＩのサーチスペースが、他方のＤＣＩのサーチスペースの下位集合（サブセット（ｓｕｂｓｅｔ））、又は上位集合（スーパーセット（ｓｕｐｅｒｓｅｔ））となるように設定してもよい。
【００６８】
このように、ＣＳＩトリガを指示するＤＣＩのサイズに基づいてＣＳＩ報告に利用する上りチャネルを決定することにより、ＣＳＩトリガ毎にＣＳＩ送信に利用する上りチャネルを柔軟に変更して制御することができる。また、ＰＵＳＣＨを利用したＣＳＩ報告を指示するＤＣＩと、ＰＵＣＣＨを利用したＣＳＩ報告を指示するＤＣＩのサイズが異なる構成とすることにより、各ＤＣＩの用途に合わせてＤＣＩのサイズを柔軟に設定することができる。
【００６９】
（バリエーション）
ＵＥは、同じサービングセルにおいて、同時に複数のＡ−ＣＳＩトリガを受信してもよい。例えば、基地局は、ある時間単位（サブフレーム、スロット、又はミニスロット等）において、複数のＣＳＩ報告（ＣＳＩトリガ）を指示するＤＣＩを所定ＵＥに送信してもよい。
【００７０】
この場合、複数のトリガのうち、一つはＰＵＳＣＨを利用したＡ−ＣＳＩトリガとし、他のトリガはショートＰＵＣＣＨを利用したＡ−ＣＳＩトリガとしてもよい。この場合、ＵＥは、通知されたＤＣＩに基づいて送信する上りチャネル、リソース、及び送信タイミングのいずれか一つを制御する。
【００７１】
また、ＵＥは、複数のＣＳＩトリガに基づいて、同じタイミング又は異なるタイミングで異なるリソース（例えば、異なるＵＬチャネル）を利用してＣＳＩ報告を行ってもよい。なお、複数のＡ−ＣＳＩトリガは、複数の異なるＤＣＩでそれぞれ通知されてもよいし、１つのＤＣＩで通知されてもよい。
【００７２】
このように、複数のＣＳＩ報告の指示を同時にＵＥに対して送信することを許容することにより、複数のチャネル（例えば、ＰＵＳＣＨとｓＰＵＣＣＨ）を利用したＣＳＩ報告を柔軟に制御することができる。
【００７３】
＜ＣＳＩ報告指示用のＤＣＩ＞
ＵＥにＣＳＩ報告を指示するＤＣＩは、データスケジューリング用のＤＣＩ（ＵＬグラント及び／又はＤＬアサイメント）、及び／又は、データをスケジューリングせずにＣＳＩトリガを指示するＤＣＩ（ＣＳＩトリガ用ＤＣＩ）を適用できる。
【００７４】
データスケジューリング用のＤＣＩとＣＳＩトリガ用ＤＣＩの両方がサポートされる場合、データスケジューリング用のＤＣＩとＣＳＩトリガ用ＤＣＩを区別するために各ＤＣＩに識別フィールドを設けてもよい。
【００７５】
（無線通信システム）
以下、本発明の一実施形態に係る無線通信システムの構成について説明する。この無線通信システムでは、本発明の上記各実施形態に係る無線通信方法のいずれか又はこれらの組み合わせを用いて通信が行われる。
【００７６】
図５は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【００７７】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）などと呼ばれてもよいし、これらを実現するシステムと呼ばれてもよい。
【００７８】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置は、図に示すものに限られない。
【００７９】
ユーザ端末２０は、無線基地局１１及び無線基地局１２の双方に接続することができる。ユーザ端末２０は、マクロセルＣ１及びスモールセルＣ２を、ＣＡ又はＤＣにより同時に使用することが想定される。また、ユーザ端末２０は、複数のセル（ＣＣ）（例えば、５個以下のＣＣ、６個以上のＣＣ）を用いてＣＡ又はＤＣを適用してもよい。
【００８０】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００８１】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【００８２】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【００８３】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００８４】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【００８５】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）が適用される。
【００８６】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【００８７】
無線通信システム１では、セル内及び／又はセル間で異なるニューメロロジーが適用される構成としてもよい。なお、ニューメロロジーとは、例えば、ある信号の送受信に適用される通信パラメータ（例えば、サブキャリア間隔、帯域幅など）のことをいう。
【００８８】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨにより、ユーザデータ、上位レイヤ制御情報、ＳＩＢ（System  Information  Block）などが伝送される。また、ＰＢＣＨにより、ＭＩＢ（Master  Information  Block）が伝送される。
【００８９】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【００９０】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報などが伝送される。また、ＰＵＣＣＨにより、下りリンクの無線品質情報（ＣＱＩ：Channel  Quality  Indicator）、送達確認情報などが伝送される。ＰＲＡＣＨにより、セルとの接続確立のためのランダムアクセスプリアンブルが伝送される。
【００９１】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【００９２】
（無線基地局）
図６は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【００９３】
下りリンクにより無線基地局１０からユーザ端末２０に送信されるユーザデータは、上位局装置３０から伝送路インターフェース１０６を介してベースバンド信号処理部１０４に入力される。
【００９４】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【００９５】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【００９６】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【００９７】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【００９８】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【００９９】
送受信部１０３は、チャネル状態情報のトリガ及び／又はアクティベーションを指示する下り制御情報を送信する。この際、送受信部１０３は、チャネル状態情報の報告に利用する上りチャネルに関する情報を含む下り制御情報を送信する。また、送受信部１０３は、ＵＥから送信されるチャネル状態情報を所定の上りチャネルで受信する。
【０１００】
図７は、本発明の一実施形態に係る無線基地局の機能構成の一例を示す図である。なお、本例では、本実施形態における特徴部分の機能ブロックを主に示しており、無線基地局１０は、無線通信に必要な他の機能ブロックも有しているものとする。
【０１０１】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１０２】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【０１０３】
制御部３０１は、例えば、送信信号生成部３０２による信号の生成、マッピング部３０３による信号の割り当てなどを制御する。また、制御部３０１は、受信信号処理部３０４による信号の受信処理、測定部３０５による信号の測定などを制御する。
【０１０４】
制御部３０１は、システム情報、下りデータ信号（例えば、ＰＤＳＣＨで送信される信号）、下り制御信号（例えば、ＰＤＣＣＨ、ＥＰＤＣＣＨ、ＮＲ−ＰＤＣＣＨで伝送される信号）のスケジューリング（例えば、リソース割り当て）を制御する。また、制御部３０１は、上りデータ信号に対する再送制御の要否を判定した結果などに基づいて、下り制御信号（例えば、送達確認情報など）、下りデータ信号などの生成を制御する。また、制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１０５】
また、制御部３０１は、上りデータ信号（例えば、ＰＵＳＣＨで送信される信号）、上り制御信号（例えば、ＰＵＣＣＨ及び／又はＰＵＳＣＨで送信される信号）、ＰＲＡＣＨで送信されるランダムアクセスプリアンブル、上り参照信号などのスケジューリングを制御する。
【０１０６】
制御部３０１は、チャネル状態情報のトリガ及び／又はアクティベーションを指示する下り制御情報の送信を制御する。また、制御部３０１は、チャネル状態情報の報告に利用する上りチャネルを指示する所定の下り制御情報（ＣＳＩトリガ用ＤＣＩ）の生成を制御する。制御部３０１は、ＣＳＩ報告に利用する上りチャネルを指示するために、ＵＬチャネル識別用フィールドを有するＤＣＩの生成、上りチャネルに関連づいたＲＮＴＩの適用、又は上りチャネルに基づいてＤＣＩサイズを変更するように制御する。
【０１０７】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０１０８】
送信信号生成部３０２は、例えば、制御部３０１からの指示に基づいて、下り信号の割り当て情報を通知するＤＬアサインメント及び上り信号の割り当て情報を通知するＵＬグラントを生成する。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１０９】
マッピング部３０３は、制御部３０１からの指示に基づいて、送信信号生成部３０２で生成された下り信号を、上記した所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１１０】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０１１１】
受信信号処理部３０４は、受信処理により復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１１２】
測定部３０５は、受信した信号に関する測定を実施する。測定部３０５は、本発明に係る技術分野での共通認識に基づいて説明される測定器、測定回路又は測定装置から構成することができる。
【０１１３】
測定部３０５は、例えば、受信した信号の受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio））、上り伝搬路情報（例えば、ＣＳＩ）などについて測定してもよい。測定結果は、制御部３０１に出力されてもよい。
【０１１４】
（ユーザ端末）
図８は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１１５】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１１６】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１１７】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１１８】
送受信部２０３は、チャネル状態情報のトリガ及び／又はアクティベーションを指示する下り制御情報を受信する。この際、送受信部２０３は、チャネル状態情報の報告に利用する上りチャネルに関する情報を含む下り制御情報を受信する。また、送受信部２０３は、チャネル状態情報を所定の上りチャネルで送信する。
【０１１９】
図９は、本発明の一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有しているものとする。
【０１２０】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１２１】
制御部４０１は、ユーザ端末２０全体の制御を実施する。制御部４０１は、本発明に係る技術分野での共通認識に基づいて説明されるコントローラ、制御回路又は制御装置から構成することができる。
【０１２２】
制御部４０１は、例えば、送信信号生成部４０２による信号の生成、マッピング部４０３による信号の割り当てなどを制御する。また、制御部４０１は、受信信号処理部４０４による信号の受信処理、測定部４０５による信号の測定などを制御する。
【０１２３】
制御部４０１は、無線基地局１０から送信された下り制御信号（例えば、ＮＲ−ＰＤＣＣＨで送信された信号）及び下りデータ信号（例えば、ＰＤＳＣＨで送信された信号）を、受信信号処理部４０４から取得する。制御部４０１は、下り制御信号及び／又は下りデータ信号に対する再送制御の要否を判定した結果などに基づいて、上り制御信号（例えば、送達確認情報など）及び／又は上りデータ信号の生成を制御する。
【０１２４】
制御部４０１は、チャネル状態情報のトリガ及び／又はアクティベーションを指示する下り制御情報の受信を制御する。また、制御部４０１は、下り制御情報に基づいてチャネル状態情報の送信に利用する上りチャネルを決定するように制御する。
【０１２５】
例えば、制御部４０１は、下り制御情報に含まれる１ビットのビットフィールド、下り制御情報に適用されるＲＮＴＩ、及び下り制御情報のサイズの少なくとも一つに基づいてチャネル状態情報の送信に利用する上りチャネルを決定してもよい。
【０１２６】
また、制御部４０１は、チャネル状態情報の送信に利用した上りチャネルに基づいて電力制御コマンドの蓄積を行う上りチャネルを制御してもよい。また、制御部４０１は、下り制御情報に含まれるリソース割当てフィールドを、下り制御情報に基づいて決定された上りチャネルに適用してもよい。
【０１２７】
また、制御部４０１は、同一又は異なる上りチャネルを利用したチャネル状態情報のトリガ及び／又はアクティベーションを指示する複数の下り制御情報を同時に受信してもよい。
【０１２８】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０１２９】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１３０】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１３１】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１３２】
受信信号処理部４０４は、受信処理により復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１３３】
測定部４０５は、受信した信号に関する測定を実施する。例えば、測定部４０５は、無線基地局１０から送信された下り参照信号を用いて測定を実施する。測定部４０５は、本発明に係る技術分野での共通認識に基づいて説明される測定器、測定回路又は測定装置から構成することができる。
【０１３４】
測定部４０５は、例えば、受信した信号の受信電力（例えば、ＲＳＲＰ）、受信品質（例えば、ＲＳＲＱ、受信ＳＩＮＲ）、下り伝搬路情報（例えば、ＣＳＩ）などについて測定してもよい。測定結果は、制御部４０１に出力されてもよい。
【０１３５】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１３６】
例えば、本発明の一実施形態における無線基地局、ユーザ端末などは、本発明の無線通信方法の処理を行うコンピュータとして機能してもよい。図１０は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１３７】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１３８】
例えば、プロセッサ１００１は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ１００１は、１以上のチップで実装されてもよい。
【０１３９】
無線基地局１０及びユーザ端末２０における各機能は、例えば、プロセッサ１００１、メモリ１００２などのハードウェア上に所定のソフトウェア（プログラム）を読み込ませることで、プロセッサ１００１が演算を行い、通信装置１００４による通信を制御したり、メモリ１００２及びストレージ１００３におけるデータの読み出し及び／又は書き込みを制御したりすることで実現される。
【０１４０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述のベースバンド信号処理部１０４（２０４）、呼処理部１０５などは、プロセッサ１００１で実現されてもよい。
【０１４１】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ユーザ端末２０の制御部４０１は、メモリ１００２に格納され、プロセッサ１００１で動作する制御プログラムによって実現されてもよく、他の機能ブロックについても同様に実現されてもよい。
【０１４２】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つで構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０１４３】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１００３は、補助記憶装置と呼ばれてもよい。
【０１４４】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４で実現されてもよい。
【０１４５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１４６】
また、プロセッサ１００１、メモリ１００２などの各装置は、情報を通信するためのバス１００７で接続される。バス１００７は、単一のバスで構成されてもよいし、装置間で異なるバスで構成されてもよい。
【０１４７】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１４８】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１４９】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。サブフレームは、ニューメロロジーに依存しない固定の時間長（例えば、１ｍｓ）であってもよい。
【０１５０】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）で構成されてもよい。また、スロットは、ニューメロロジーに基づく時間単位であってもよい。また、スロットは、複数のミニスロットを含んでもよい。各ミニスロットは、時間領域において１つ又は複数のシンボルで構成されてもよい。また、ミニスロットは、サブスロットと呼ばれてもよい。
【０１５１】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１５２】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１５３】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１５４】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１５５】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１５６】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１５７】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックで構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１５８】
また、リソースブロックは、１つ又は複数のリソースエレメント（ＲＥ：Resource  Element）で構成されてもよい。例えば、１ＲＥは、１サブキャリア及び１シンボルの無線リソース領域であってもよい。
【０１５９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１６０】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【０１６１】
本明細書においてパラメータなどに使用する名称は、いかなる点においても限定的なものではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的なものではない。
【０１６２】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１６３】
また、情報、信号などは、上位レイヤから下位レイヤ、及び／又は下位レイヤから上位レイヤへ出力され得る。情報、信号などは、複数のネットワークノードを介して入出力されてもよい。
【０１６４】
入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【０１６５】
情報の通知は、本明細書で説明した態様／実施形態に限られず、他の方法で行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１６６】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））で通知されてもよい。
【０１６７】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０１６８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１６９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１７０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０１７１】
本明細書で使用する「システム」及び「ネットワーク」という用語は、互換的に使用される。
【０１７２】
本明細書では、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０１７３】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０１７４】
本明細書では、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０１７５】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１７６】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０１７７】
同様に、本明細書におけるユーザ端末は、無線基地局で読み替えてもよい。この場合、上述のユーザ端末２０が有する機能を無線基地局１０が有する構成としてもよい。
【０１７８】
本明細書において、基地局によって行われるとした特定動作は、場合によってはその上位ノード（upper  node）によって行われることもある。基地局を有する１つ又は複数のネットワークノード（network  nodes）から成るネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１７９】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１８０】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０１８１】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１８２】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０１８３】
本明細書で使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０１８４】
本明細書で使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」と読み替えられてもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び／又は光（可視及び不可視の両方）領域の波長を有する電磁エネルギーなどを使用することにより、互いに「接続」又は「結合」されると考えることができる。
【０１８５】
本明細書又は請求の範囲で「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０１８６】
以上、本発明について詳細に説明したが、当業者にとっては、本発明が本明細書中に説明した実施形態に限定されるものではないということは明らかである。本発明は、請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１８７】
（付記）
以下、本開示の補足事項について付記する。
【０１８８】
本開示は、非周期ＣＳＩ報告（A-CSI  reporting）を下り制御情報（ＤＣＩ）でトリガする場合に、当該ＣＳＩの送信に利用するＵＬチャネル（又は、リソース）の制御に関する。例えば、ＣＳＩをＤＣＩでトリガする際に、上り共有チャネル（例えば、ＰＵＳＣＨ）で送信するか、上り制御チャネル（例えば、ｓＰＵＣＣＨ）で送信するかを指示する１ビットを当該ＤＣＩに含める。
【０１８９】
例えば、非周期ＣＳＩがＰＵＳＣＨ又はショートＰＵＣＣＨ（ｓＰＵＣＣＨ）のいずれで送信されるかは、ＤＣＩ（例えば、ＵＬグラント）に含まれる所定ビット（例えば、１ビット）のビットフィールド、ＤＣＩに適用されるＲＮＴＩ、及びＤＣＩのサイズ（例えば、DCI  payload  length）の少なくとも一つで決定できる。
【０１９０】
非周期ＣＳＩがＰＵＳＣＨ又はショートＰＵＣＣＨのいずれで送信されるかに基づいて、ＴＰＣコマンドの蓄積が制御されてもよい。例えば、ＵＥは、非周期ＣＳＩがＰＵＳＣＨ又はショートＰＵＣＣＨのいずれで送信されるかに基づいて、ＰＵＳＣＨ用のＴＰＣコマンドの蓄積と、ＰＵＣＣＨ用のＴＰＣコマンドの蓄積を制御する。
【０１９１】
非周期ＣＳＩがＰＵＳＣＨ又はショートＰＵＣＣＨのいずれで送信されるかに基づいて、ＤＣＩに含まれるリソース割当てフィールド（ＲＡフィールド）の解釈が決定されてもよい。例えば、ＰＵＳＣＨを利用したＣＳＩ送信が指示される場合、ＵＥは、ＲＡフィールドをＰＵＳＣＨに適用する。それ以外（例えば、ＰＵＣＣＨを利用したＣＳＩ送信が指示される場合）、ＵＥは、ＲＡフィールドをショートＰＵＣＣＨに適用してもよい。
【０１９２】
ＵＥは、同じサービングセルにおいて、同時に複数のＡ−ＣＳＩトリガを受信してもよい。複数のトリガのうち、一つはＰＵＳＣＨを利用したＡ−ＣＳＩトリガとし、他のトリガはショートＰＵＣＣＨを利用したＡ−ＣＳＩトリガとしてもよい。また、複数のＡ−ＣＳＩトリガは、複数の異なるＤＣＩでそれぞれ通知されてもよいし、１つのＤＣＩで通知されてもよい。
【０１９３】
以下、本開示の構成の一例について付記する。なお、本発明は以下の構成に限られない。
［構成１］
チャネル状態情報のトリガ及び／又はアクティベーションを指示する下り制御情報を受信する受信部と、
前記下り制御情報に基づいて前記チャネル状態情報の送信に利用する上りチャネルを決定する制御部と、を有することを特徴とするユーザ端末。
［構成２］
前記制御部は、前記下り制御情報に含まれる１ビットのビットフィールド、前記下り制御情報に適用されるＲＮＴＩ、及び前記下り制御情報のサイズの少なくとも一つに基づいて前記チャネル状態情報の送信に利用する上りチャネルを決定することを特徴とする構成２に記載のユーザ端末。
［構成３］
前記制御部は、前記チャネル状態情報の送信に利用した上りチャネルに基づいて電力制御コマンドの蓄積を行う上りチャネルを制御することを特徴とする構成１又は構成２に記載のユーザ端末。
［構成４］
前記制御部は、前記下り制御情報に含まれるリソース割当てフィールドを、前記下り制御情報に基づいて決定された上りチャネルに適用することを特徴とする構成１から構成３のいずれかに記載のユーザ端末。
［構成５］
前記受信部は、同一又は異なる上りチャネルを利用したチャネル状態情報のトリガ及び／又はアクティベーションを指示する複数の下り制御情報を同時に受信することを特徴とする構成１から構成４のいずれかに記載のユーザ端末。
［構成６］
チャネル状態情報のトリガ及び／又はアクティベーションを指示する下り制御情報を受信する工程と、
前記下り制御情報に基づいて前記チャネル状態情報の送信に利用する上りチャネルを決定する工程と、を有することを特徴とするユーザ端末の無線通信方法。
【０１９４】
本出願は、２０１７年１１月２７日出願の特願２０１７−２３９０５５に基づく。この内容は、全てここに含めておく。
【図１】
2019103141.tif 000003
【図２】
2019103141.tif 000004
【図３】
2019103141.tif 000005
【図４】
2019103141.tif 000006
【図５】
2019103141.tif 000007
【図６】
2019103141.tif 000008
【図７】
2019103141.tif 000009
【図８】
2019103141.tif 000010
【図９】
2019103141.tif 000011
【図１０】
2019103141.tif 000012
【国際調査報告】
2019103141.tif 000013
2019103141.tif 000014